(57)【特許請求の範囲】
【請求項１】
複数のパラレル信号を光サブキャリアによりマルチキャリア伝送する複数の送信機と接続されたフレーマであって、
信号フレーム内のタイムスロットと前記タイムスロットに設定されたデータを含んだパラレル信号の伝送に用いられる前記光サブキャリアとの対応を示すタイムスロット情報と、クライアント信号に割当てられたパスと前記信号フレーム内のタイムスロットとの対応を示すパス収容情報とを記憶する記憶部と、
前記光サブキャリア又は前記送信機の数に応じて、少なくとも１つの光サブキャリア又は少なくとも１つの送信機から送信される光サブキャリアに対し、残る他の光サブキャリア又は残る他の送信機から送信される光サブキャリアに割り当てられる前記クライアント信号を復元するための冗長信号を割り当てられるように前記パス収容情報を設定する割当処理部と、
受信した１以上のクライアント信号を、前記パス収容情報が示す前記クライアント信号のパスと前記タイムスロットとの対応に従って、前記信号フレーム内のタイムスロットに設定する多重化部と、
前記多重化部により前記クライアント信号が設定された前記信号フレームを分割して複数のパラレル信号を生成し、生成した前記パラレル信号を、前記パラレル信号に対応した前記光サブキャリアにより伝送する前記送信機に出力する送信信号生成部と、
を備え、
前記割当処理部は、同じ優先度のクライアント信号を同じグループに含め、前記優先度に応じて前記グループのクライアント信号を復元するための前記冗長信号が割り当てられる前記光サブキャリアの数を決定することを特徴とするフレーマ。
【請求項２】
複数のパラレル信号を生成するフレーマと、前記フレーマが生成した複数の前記パラレル信号を光サブキャリアによりマルチキャリア伝送する複数の送信機とを有する光伝送装置であって、
信号フレーム内のタイムスロットと前記タイムスロットに設定されたデータを含んだパラレル信号の伝送に用いられる前記光サブキャリアとの対応を示すタイムスロット情報と、クライアント信号に割当てられたパスと前記信号フレーム内のタイムスロットとの対応を示すパス収容情報とを記憶する記憶部と、
前記光サブキャリア又は前記送信機の数に応じて、少なくとも１つの光サブキャリア又は少なくとも１つの送信機から送信される光サブキャリアに対し、残る他の光サブキャリア又は残る他の送信機から送信される光サブキャリアに割り当てられる前記クライアント信号を復元するための冗長信号を割り当てられるように前記パス収容情報を設定する割当処理部とを備え、
前記フレーマは、
受信した１以上のクライアント信号を、前記パス収容情報が示す前記クライアント信号のパスと前記タイムスロットとの対応に従って、前記信号フレーム内のタイムスロットに設定する多重化部と、
前記多重化部により前記クライアント信号が設定された前記信号フレームを分割して複数のパラレル信号を生成し、生成した前記パラレル信号を、前記パラレル信号に対応した前記光サブキャリアにより伝送する前記送信機に出力する送信信号生成部とを備え、
前記割当処理部は、同じ優先度のクライアント信号を同じグループに含め、前記優先度に応じて前記グループのクライアント信号を復元するための前記冗長信号が割り当てられる前記光サブキャリアの数を決定することを特徴とする光伝送装置。
【請求項３】
複数のパラレル信号を光サブキャリアによりマルチキャリア伝送する複数の送信機と接続されたフレーマが実行するフレーミング方法であって、
前記フレーマは、信号フレーム内のタイムスロットと前記タイムスロットに設定されたデータを含んだパラレル信号の伝送に用いられる前記光サブキャリアとの対応を示すタイムスロット情報と、クライアント信号に割当てられたパスと前記信号フレーム内のタイムスロットとの対応を示すパス収容情報とを記憶する記憶部を備えており、
前記フレーマが、
前記光サブキャリア又は前記送信機の数に応じて、少なくとも１つの光サブキャリア又は少なくとも１つの送信機から送信される光サブキャリアに対し、残る他の光サブキャリア又は残る他の送信機から送信される光サブキャリアに割り当てられる前記クライアント信号を復元するための冗長信号を割り当てられるように前記パス収容情報を設定する割当処理ステップと、
受信した１以上のクライアント信号を、前記パス収容情報が示す前記クライアント信号のパスと前記タイムスロットとの対応に従って、前記信号フレーム内のタイムスロットに設定する多重化ステップと、
前記多重化ステップにより前記クライアント信号が設定された前記信号フレームを分割して複数のパラレル信号を生成し、生成した前記パラレル信号を、前記パラレル信号に対応した前記光サブキャリアにより伝送する前記送信機に出力する送信信号生成ステップと、
を有し、
前記割当処理ステップにおいて、同じ優先度のクライアント信号を同じグループに含め、前記優先度に応じて前記グループのクライアント信号を復元するための前記冗長信号が割り当てられる前記光サブキャリアの数を決定することを特徴とするフレーミング方法。
【発明の詳細な説明】
【技術分野】
【０００１】
本発明は、フレーマ、光伝送装置、及びフレーミング方法に関する。
【背景技術】
【０００２】
大容量の広域光転送網であるＯＴＮ（Optical Transport Network）では、ＳＤＨ（Synchronous Digital Hierarchy）やイーサネット（登録商標）などの様々なクライアント信号を収容して転送する。近年では、クライアント信号のトラヒックの増加が顕著であり、それに伴いＯＴＮも高速化に対応するよう標準化が進められてきた（例えば、非特許文献１参照）。そして現在では、１００Ｇ超（Ｂ１００Ｇ、Ｇはギガビット毎秒）のＯＴＮ技術であるＯＴＵＣｎ（Ｃｎは１００Ｇ×ｎを表す。）が検討されている（例えば、非特許文献２参照）。ＯＴＵＣｎでは、１光チャネルの伝送容量が従来のＯＴＵよりも広帯域となる。しかし、光信号の送受信機に用いられる電子回路の動作速度の関係から、これまでのように１光チャネルの帯域においてシングルキャリア伝送を拡張して大容量化を図ることは困難である。そこで、ＯＴＵＣｎでは、１光チャネルの帯域において複数の光サブキャリアを用いたマルチキャリア伝送によって大容量化を実現する。
【先行技術文献】
【非特許文献】
【０００３】
【非特許文献１】“Interfaces for the optical transport network”, ITU-T G.709/Y.1331, February 2012.
【非特許文献２】大原  拓也，「ＯＴＮインタフェース技術および標準化動向」，２０１４  電子情報通信学会総合大会  通信講演論文集２，ＢＩ−５−１，ＳＳ−４７−ＳＳ−４８，２０１４年３月
【発明の概要】
【発明が解決しようとする課題】
【０００４】
ＯＴＵＣｎのフレーマは、ペイロード容量がｎ×１００ＧのＯＴＵＣｎ（Optical channel Transport Unit-Cn）の電気信号をインタリーブし、ペイロード容量が１００Ｇのパラレル信号であるＯＴＬＣｎ．ｎ（Optical channel Transport Lane-Cn.n）をｎ個生成する。フレーマが生成した１光チャネル分のｎ個のパラレル信号は、複数の光サブキャリア送受信機により光信号に変換され、マルチキャリア伝送される。この光サブキャリア送受信機の伝送帯域は１００Ｇに限らず、光サブキャリア送受信機の変復調方式に応じて、１５０Ｇや２００Ｇ等の場合がある。ｊ×１００Ｇ（ｊは１以上ｎ以下の整数）の光サブキャリア送受信機は、フレーマが生成した１００Ｇのｊ個のパラレル信号を、１つの光サブキャリアによって光伝送する。
【０００５】
例えば、ＯＴＵＣ４の場合、フレーマはクライアント信号が設定されたＯＴＵＣ４の電気信号から４つのＯＴＬＣ４．４の電気信号を生成する。これら４つのＯＴＬＣ４．４の電気信号を、ＯＴＬＣ４．４＃１〜＃４とする。そして、光サブキャリア送受信機の伝送帯域が２００Ｇである場合、１つ目の光サブキャリア送受信機がＯＴＬＣ４．４＃１及びＯＴＬＣ４．４＃２を２００Ｇの光サブキャリアにより伝送し、２つ目の光サブキャリア送受信機がＯＴＬＣ４．４＃３及びＯＴＬＣ４．４＃４を２００Ｇの光サブキャリアにより伝送する。
【０００６】
ところで、伝送路において障害が生じた場合、１つ又は複数のサブキャリアに含まれる全ての信号が伝送されない場合がある。このような場合、対向装置（受信側の装置）でのクライアント信号の復元が困難となる。
上記事情に鑑み、本発明は、複数のパラレル信号をマルチキャリア伝送するシステムにおいて、光サブキャリアの障害によって消失する信号量を低減することができるフレーマ、光伝送装置、及びフレーミング方法を提供することを目的としている。
【課題を解決するための手段】
【０００７】
本発明の一態様は、複数のパラレル信号を光サブキャリアによりマルチキャリア伝送する複数の送信機と接続されたフレーマであって、信号フレーム内のタイムスロットと前記タイムスロットに設定されたデータを含んだパラレル信号の伝送に用いられる前記光サブキャリアとの対応を示すタイムスロット情報と、クライアント信号に割当てられたパスと前記信号フレーム内のタイムスロットとの対応を示すパス収容情報とを記憶する記憶部と、前記光サブキャリア又は前記送信機の数に応じて、少なくとも１つの光サブキャリア又は少なくとも１つの送信機から送信される光サブキャリアに対し、残る他の光サブキャリア又は残る他の送信機から送信される光サブキャリアに割り当てられる前記クライアント信号を復元するための冗長信号を割り当てられるように前記パス収容情報を設定する割当処理部と、受信した１以上のクライアント信号を、前記パス収容情報が示す前記クライアント信号のパスと前記タイムスロットとの対応に従って、前記信号フレーム内のタイムスロットに設定する多重化部と、前記多重化部により前記クライアント信号が設定された前記信号フレームを分割して複数のパラレル信号を生成し、生成した前記パラレル信号を、前記パラレル信号に対応した前記光サブキャリアにより伝送する前記送信機に出力する送信信号生成部と、を備えることを特徴とするフレーマである。
【０００８】
本発明の一態様は、上述したフレーマであって、前記割当処理部は、同じ優先度のクライアント信号を同じグループに含め、前記優先度に応じて前記グループのクライアント信号を復元するための前記冗長信号が割り当てられる前記光サブキャリアの数を決定する。
【０００９】
本発明の一態様は、複数のパラレル信号を生成するフレーマと、前記フレーマが生成した複数の前記パラレル信号を光サブキャリアによりマルチキャリア伝送する複数の送信機とを有する光伝送装置であって、信号フレーム内のタイムスロットと前記タイムスロットに設定されたデータを含んだパラレル信号の伝送に用いられる前記光サブキャリアとの対応を示すタイムスロット情報と、クライアント信号に割当てられたパスと前記信号フレーム内のタイムスロットとの対応を示すパス収容情報とを記憶する記憶部と、前記光サブキャリア又は前記送信機の数に応じて、少なくとも１つの光サブキャリア又は少なくとも１つの送信機から送信される光サブキャリアに対し、残る他の光サブキャリア又は残る他の送信機から送信される光サブキャリアに割り当てられる前記クライアント信号を復元するための冗長信号を割り当てられるように前記パス収容情報を設定する割当処理部とを備え、前記フレーマは、受信した１以上のクライアント信号を、前記パス収容情報が示す前記クライアント信号のパスと前記タイムスロットとの対応に従って、前記信号フレーム内のタイムスロットに設定する多重化部と、前記多重化部により前記クライアント信号が設定された前記信号フレームを分割して複数のパラレル信号を生成し、生成した前記パラレル信号を、前記パラレル信号に対応した前記光サブキャリアにより伝送する前記送信機に出力する送信信号生成部とを備える、ことを特徴とする光伝送装置である。
【００１０】
本発明の一態様は、上述した光伝送装置であって、前記割当処理部は、同じ優先度のクライアント信号を同じグループに含め、前記優先度に応じて前記グループのクライアント信号を復元するための前記冗長信号が割り当てられる前記光サブキャリアの数を決定する。
【００１１】
本発明の一態様は、複数のパラレル信号を光サブキャリアによりマルチキャリア伝送する複数の送信機と接続されたフレーマが実行するフレーミング方法であって、前記フレーマは、信号フレーム内のタイムスロットと前記タイムスロットに設定されたデータを含んだパラレル信号の伝送に用いられる前記光サブキャリアとの対応を示すタイムスロット情報と、クライアント信号に割当てられたパスと前記信号フレーム内のタイムスロットとの対応を示すパス収容情報とを記憶する記憶部を備えており、前記フレーマが、前記光サブキャリア又は前記送信機の数に応じて、少なくとも１つの光サブキャリア又は少なくとも１つの送信機から送信される光サブキャリアに対し、残る他の光サブキャリア又は残る他の送信機から送信される光サブキャリアに割り当てられる前記クライアント信号を復元するための冗長信号を割り当てられるように前記パス収容情報を設定する割当処理ステップと、受信した１以上のクライアント信号を、前記パス収容情報が示す前記クライアント信号のパスと前記タイムスロットとの対応に従って、前記信号フレーム内のタイムスロットに設定する多重化ステップと、前記多重化ステップにより前記クライアント信号が設定された前記信号フレームを分割して複数のパラレル信号を生成し、生成した前記パラレル信号を、前記パラレル信号に対応した前記光サブキャリアにより伝送する前記送信機に出力する送信信号生成ステップと、を有することを特徴とするフレーミング方法である。
【発明の効果】
【００１２】
本発明により、複数のパラレル信号をマルチキャリア伝送するシステムにおいて、光サブキャリアの障害によって消失する信号量の低減することができる。
【図面の簡単な説明】
【００１３】
【図１】本発明の実施形態を適用可能なフレーマの機能ブロック図である。
【図２】ＯＴＵＣｎのフレーム構造を示す図である。
【図３】ＯＴＬＣｎ．ｎのフレーム構造を示す図である。
【図４】光信号の伝送に用いられる光チャネルを示す図である。
【図５】本発明の一実施形態による光伝送装置の構成例を示す図である。
【図６】ＮＮＩカードにおいて送信される信号の帯域を示す図である。
【図７】ＯＤＵＣｎへのパスのマッピングを示す図である。
【図８】ＯＤＵＣｎへのパスのマッピングを示す図である。
【図９】ＯＤＵＣｎへのパスのマッピングを示す図である。
【図１０】ＯＴＮフレーマによって行われたグルーピングの結果に基づいて生成されるＯＴＵＣｎの電気信号の具体例を示す図である。
【図１１】ＮＮＩカードの構成を示す機能ブロック図である。
【図１２】トランスポンダの構成を示す機能ブロック図である。
【図１３】トランスポンダの他の構成を示す機能ブロック図である。
【図１４】光伝送装置のグルーピング処理を示す処理フローである。
【発明を実施するための形態】
【００１４】
以下、図面を参照して本発明の実施形態を説明する。
図１は、本発明の実施形態を適用可能なＯＴＮフレーマ８００の機能ブロック図である。同図に示すＯＴＮフレーマ８００は、１００Ｇ超（Ｂ１００Ｇ、Ｇはギガビット毎秒）の伝送を行うためのＯＴＮ（Optical Transport Network）の規格であるＯＴＵＣｎ（Ｃｎは１００Ｇ×ｎを表す。ｎは２以上の整数。）により通信を行う。同図においては、ｎ＝４の場合、すなわち、ＯＴＮフレーマ８００がＯＴＵＣ４により通信を行う場合の例を示している。
【００１５】
ＯＴＮトランスポート技術では、様々な通信方式のクライアント信号を収容し、光伝送により転送する。ＯＴＮでは、固定フレーム構造を利用し、ＧｂＥ（ギガビット・イーサネット（登録商標））を収容できる最小単位のＯＤＵ０（ＯＤＵ：Optical Channel Data Unit）により、１．２５ＧのＴＳ（Tributary Slot、タイムスロットともいう。）単位で（すなわち、その倍数により）クライアント信号を扱う。ＯＴＮは、ＳＤＨ（Synchronous Digital Hierarchy）と同様のパス管理、ＯＡＭ（Operations, Administration, Maintenance）機能、プロテクション機能を提供する。
【００１６】
ＯＴＮフレーマ８００は、複数のクライアント信号が多重されたｎ×１００Ｇの１光チャネルの信号を分離し、ｎ個の１００Ｇのパラレル信号を生成する。これらのｎ個のパラレル信号は複数の光サブキャリアによりマルチキャリア伝送されるが、物理的には、１つのパラレル信号が１つの光サブキャリアにより伝送されてもよく、複数のパラレル信号が１つの光サブキャリアにより伝送されてもよい。マルチキャリア伝送とは、１チャネルの信号を複数のサブキャリア（搬送波）を使ってパラレル伝送することにより、１チャネルを大容量化する通信方式である。マルチキャリア伝送では、対地（接続先）ごとにサブキャリアを高密度多重し、電気的に分離する。１つのパラレル信号が１つの光サブキャリアにより伝送される場合、その光サブキャリアの帯域は１００Ｇであり、２つのパラレル信号が１つの光サブキャリアにより伝送される場合、その光サブキャリアの帯域は２００Ｇである。光伝送には、４ＳＣ−ＤＰ−ＱＰＳＫ（4 Subcarrier-Dual Polarization-Quadrature Phase Shift Keying）や、２ＳＣ−ＤＰ−１６ＱＡＭ（2 Subcarrier-Dual Polarization-Quadrature Amplitude Modulation）などが用いられる。
【００１７】
図１に示すように、ＯＴＮフレーマ８００は、送信処理部１１０と受信処理部１５０とを備える。
送信処理部１１０は、クライアント信号受信部１２０と、多重処理部１３０と、ライン側送信処理部１４０とを備える。
【００１８】
クライアント信号受信部１２０は、受信部１２１と、マッピング部１２２と、ＯＨ処理部１２３とを備える。
受信部１２１は、クライアント信号を受信する。マッピング部１２２は、受信部１２１が受信した１クライアント信号をＬＯ  ＯＤＵ（Lower Order Optical Channel Data Unit）フレームのペイロードにマッピングする。ＯＨ処理部１２３は、マッピング部１２２がクライアント信号を設定したＬＯ  ＯＤＵフレームにＯＨ（オーバーヘッド）を付加する。ＯＨ処理部１２３は、ＬＯ  ＯＤＵフレームの電気パス信号を、ＯＤＵ−スイッチ（以下、「ＯＤＵ−ＳＷ」と記載）２１０に出力する。ＯＤＵ−ＳＷ２１０は、他のＯＴＮフレーマ８００とも接続されており、電気パス信号のパス交換を行う。
【００１９】
多重処理部１３０は、多重化部１３１とフレーミング部１３２とを備える。多重化部１３１は、ＯＤＵ−ＳＷ２１０から受信した電気パス信号をＬＯ  ＯＤＵフレームに設定する。多重処理部１３０は、ＬＯ  ＯＤＵフレームを一旦ＯＤＴＵ（Optical Channel Data Tributary Unit）フレームにマッピングした後、複数のＯＤＴＵフレームを時間多重してＨＯ  ＯＤＵ（Higher Order ODU）であるＯＤＵＣｎフレームを生成する。フレーミング部１３２は、多重処理部１３０が生成したＯＤＵＣｎフレームにＯＨとＦＥＣ（Forward Error Correction：前方誤り訂正）を付加してＯＴＵＣｎフレームを生成する。フレーミング部１３２は、ＯＴＵＣｎフレームの信号をライン側送信処理部１４０に出力する。
【００２０】
ライン側送信処理部１４０は、インタリーブ部１４１と、ＯＨ処理部１４２−１〜１４２−ｎと、マルチレーン送信部１４３−１〜１４３−ｎとを備える。
インタリーブ部１４１は、多重処理部１３０からＯＴＵＣｎフレームの信号を受信し、受信したｎ×１００ＧのＯＴＵＣｎフレームの信号をバイトインタリーブして、ｎ個のＯＴＬＣｎ．ｎフレームの信号を生成する。ＯＴＬＣｎ．ｎフレームは、１００Ｇのパラレル信号のフレームである。ｉ個目のＯＴＬＣｎ．ｎフレームを、ＯＴＬＣｎ．ｎ＃ｉフレーム（ｉは１以上ｎ以下の整数）と記載する。インタリーブ部１４１は、生成したｎ個のＯＴＬＣｎ．ｎ＃ｉフレームをそれぞれＯＨ処理部１４２−ｉに出力する。
【００２１】
ＯＨ処理部１４２−１〜１４２−ｎは、インタリーブ部１４１から受信したＯＴＬＣｎ．ｎフレームにＯＨを設定する。ＯＨ処理部１４２−ｉは、ＯＨを設定したＯＴＬＣｎ．ｎ＃ｉフレームを、マルチレーン送信部１４３−ｉに出力する。
【００２２】
マルチレーン送信部１４３−１〜１４３−ｎは、ＯＨ処理部１４２−１〜１４２−ｎから受信したＯＴＬＣｎ．ｎフレームのパラレル信号を送信機２２０に出力する。例えば、マルチレーン送信部１４３−ｉは、４本の２８Ｇの電気配線を使用してパラレルにＯＴＬＣｎ．ｎ＃ｉフレームのパラレル信号を送信機２２０に出力する。各送信機２２０は、それぞれ異なる光周波数の光サブキャリアを使用する。送信機２２０は、受信したパラレル信号を電気信号から光信号に変換し、マルチキャリア伝送する。なお、複数のマルチレーン送信部１４３−ｉが１つの送信機２２０に接続されてもよい。ｊ個（ｊは２以上ｎ以下）のマルチレーン送信部１４３−ｉが１つの送信機２２０に接続される場合、その送信機２２０は、ｊ×１００Ｇの光サブキャリアによりｊ個のパラレル信号を伝送する。
【００２３】
受信処理部１５０は、ライン側受信処理部１６０と、分離処理部１７０と、クライアント信号送信部１８０とを備える。
【００２４】
ライン側受信処理部１６０は、マルチレーン受信部１６１−１〜１６１−ｎと、ＯＨ処理部１６２−１〜１６２−ｎと、デインタリーブ部１６３とを備える。
マルチレーン受信部１６１−１〜１６１−ｎは、受信機２３０がマルチキャリア伝送により受信した光信号を電気信号により受信する。受信機２３０は、それぞれ異なる光周波数の光サブキャリアにより光信号を受信する。マルチレーン受信部１６１−ｉは、例えば４本の２８Ｇの電気配線を使用して受信機２３０からパラレルに受信した電気信号を、ＯＨ処理部１６２−ｉに出力する。
【００２５】
ＯＨ処理部１６２−１〜１６２−ｎは、受信した信号からＯＴＬＣｎ．ｎフレームのＯＨに設定されているＦＡＳ（frame alignment signal）やＭＦＡＳ（multiframe alignment signal）に基づいてフレームの先頭を認識する。ＯＨ処理部１６２−ｉは、先頭位置を検出することにより、遅延時間差を補償して受信信号からＯＴＬＣｎ．ｎ＃ｉフレームを抽出し、デインタリーブ部１６３に出力する。
【００２６】
デインタリーブ部１６３は、ＯＨ処理部１６２−１〜１６２−ｎから受信したＯＴＬＣｎ．ｎ＃１フレーム〜ＯＴＬＣｎ．ｎ＃ｎフレームのうち、信号が正しく受信されていないフレームを検出する。信号が正しく受信されていないフレームが検出された場合、デインタリーブ部１６３は、冗長信号を含む他のフレーム（正しく受信されたフレーム）の信号を用いることによって、正しく受信されなかった信号を復元する。その後、デインタリーブ部１６３は、ＯＨ処理部１６２−１〜１６２−ｎから受信したＯＴＬＣｎ．ｎ＃１フレーム〜ＯＴＬＣｎ．ｎ＃ｎフレーム及び復元された信号のフレームをデインタリーブし、１つのＯＴＵＣｎフレームを生成する。なお、信号が正しく受信されていないフレームが検出されなかった場合は、デインタリーブ部１６３は、ＯＨ処理部１６２−１〜１６２−ｎから受信したＯＴＬＣｎ．ｎ＃１フレーム〜ＯＴＬＣｎ．ｎ＃ｎフレームをデインタリーブし、１つのＯＴＵＣｎフレームを生成する。
【００２７】
分離処理部１７０は、デフレーミング部１７１及び逆多重化部１７２を備える。
デフレーミング部１７１は、デインタリーブ部１６３が生成したＯＴＵＣｎフレームの信号をＦＥＣ復号し、復号したＯＴＵＣｎフレームからＬＯ  ＯＤＵフレームが時間多重されたＯＤＵＣｎフレームを抽出して逆多重化部１７２に出力する。
逆多重化部１７２は、デフレーミング部１７１が抽出したＯＤＵＣｎフレームの信号から各クライアント信号が設定されたＬＯ  ＯＤＵフレームを抽出し、ＬＯ  ＯＤＵフレームの電気パス信号をＯＤＵ−ＳＷ２１０に出力する。
【００２８】
クライアント信号送信部１８０は、ＯＨ処理部１８１と、デマッピング部１８２と、送信部１８３とを備える。
ＯＨ処理部１８１は、ＯＤＵ−ＳＷ２１０から電気パス信号を受信し、受信した電気パス信号からＬＯ  ＯＤＵフレームを復号する。ＯＨ処理部１８１は、ＬＯ  ＯＤＵフレームに対してＯＨに関する処理を行い、デマッピング部１８２に出力する。
デマッピング部１８２は、ＯＨ処理部１８１からＬＯ  ＯＤＵフレームの電気パス信号を受信し、受信した電気パス信号からクライアント信号を抽出して送信部１８３に出力する。
送信部１８３は、デマッピング部１８２が抽出したクライアント信号を送信する。
【００２９】
なお、クライアント信号受信部１２０と多重処理部１３０、及び、分離処理部１７０とクライアント信号送信部１８０がＯＤＵ−ＳＷ２１０を介さずに接続されてもよい。
【００３０】
図２は、ＯＴＵＣｎのフレーム構造を示す図である。
ＯＴＵＣｎは、ＯＤＵＣｎに、ＦＡＣｎ  ＯＨ、ＯＴＵＣｎ  ＯＨ、ＯＰＵＣｎ  ＯＨ、及び、ＯＴＵＣｎＦＥＣを付加して生成される。ＯＴＵＣｎは、４行、４０８０×ｎ列で標記される。
ＯＴＵＣｎの（１６×ｎ＋１）〜３８２４×ｎ列目のＯＰＵＣｎペイロード（Payload）には、クライアント信号がマッピングされる。ＯＴＵＣｎフレームの１〜１６×ｎ列目には、ＯＨが設定される。１行目の１〜７×ｎ列目には、ＦＡＣｎ  ＯＨが設定される。ＦＡＣｎ  ＯＨは、フレーム同期に必要な情報を含む。（７×ｎ＋１）〜１４×ｎ列目には光チャネルのセクション監視情報を収容するＯＴＵＣｎ  ＯＨが挿入される。２〜４行目の１〜１４×ｎ列目には、ＯＤＵＣｎ  ＯＨが挿入され、光チャネルのパス管理運用情報を収容する。（１４×ｎ＋１）〜１６×ｎ列目には、ＯＰＵＣｎ  ＯＨが挿入され、クライアント信号のマッピング／デマッピングに必要な情報などが収容される。３８２４×ｎ＋１〜４０８０×ｎ列目のＯＰＵＣｎ  ＦＥＣには、ＦＥＣ用のパリティチェックバイトが付加される。
【００３１】
図３は、ＯＴＬＣｎ．ｎのフレーム構造を示す図である。
ＯＴＬＣｎ．ｎは、４行、４０８０列で標記される。ＯＴＬＣｎ．ｎ＃１〜ＯＴＬＣｎ．ｎ＃ｎは、バイトインタリーブによりＯＴＵＣｎフレームを分割して得られる。
ＯＴＵＣｎのＯＰＵＣｎペイロードは、ＯＴＬＣｎ．ｎ＃ｉの１７〜３８２４列目のＯＰＵＣｎ．ｎ＃ｉペイロードにマッピングされる。
ＯＴＬＣｎ．ｎ＃ｉの１〜１６列目には、ＯＨが設定される。ＯＴＬＣｎ．ｎ＃ｉのＯＨは、ＯＴＵＣｎ  ＯＨ等に基づいて設定される。１行目の１〜７列目には、ＦＡＬＣｎ．ｎ＃ｉ  ＯＨが設定される。ＦＡＬＣｎ．ｎ＃ｉ  ＯＨは、フレーム同期に必要な情報を含む。８〜１４列目には、光チャネルのセクション監視情報を収容するＯＴＬＣｎ．ｎ＃ｉ  ＯＨが挿入される。２〜４行目の１〜１４×ｎ列目には、ＯＤＬＣｎ．ｎ＃ｉ  ＯＨが挿入され、光チャネルのパス管理運用情報を収容する。１５〜１６列目には、ＯＰＬＣｎ．ｎ＃ｉ  ＯＨが挿入され、クライアント信号のマッピング／デマッピングに必要な情報などが収容される。３８２５〜４０８０列目のＯＴＵＣ＃ｉ  ＦＥＣには、ＦＥＣ用のパリティチェックバイトが付加される。
【００３２】
図４は、光信号の伝送に用いられる光チャネルを示す図である。
図４（ａ）は、４００Ｇの光信号を１光周波数（シングルキャリア）によりシリアル伝送する場合の光チャネルを示す図であり、図４（ｂ）は、４００Ｇの光信号を４つの光サブキャリアによりパラレル伝送（マルチキャリア伝送）する場合の光チャネルを示す図である。
従来の電子回路では、動作速度の制約から、図４（ａ）に示すように、１光周波数によりシリアル伝送することができる帯域を、１００Ｇを超えて拡張し続けていくことは困難である。そこでＯＴＵＣｎでは、１００Ｇ超の帯域を複数の光サブキャリアによりパラレル伝送することにより、電子回路の制約を受けずに広帯域伝送を実現する。このパラレル伝送には、偏波多重、多値変調などが用いられる。変調方式によって、光サブキャリアの帯域は異なる。
図４（ｂ）は、４００Ｇの１光チャネルを、１００Ｇの４光サブキャリアによりパラレル伝送した場合の例であり、図４（ｃ）は、４００Ｇの１光チャネルを、２００Ｇの２光サブキャリアによりパラレル伝送した場合の例である。また、ｎを変化させることにより、図４（ｄ）に示すように、１００Ｇ単位で伝送帯域を増加させていくことができるフレキシビリティを有する。
【００３３】
図５は、本発明の一実施形態による光伝送装置５０の構成例を示す図である。
光伝送装置５０は、ＯＤＵクロスコネクト機能部５１、光伝送機能部５５、及び、監視制御部６０を備える。
ＯＤＵクロスコネクト機能部５１において、１以上のＵＮＩ（ユーザ−ネットワークインタフェース）カード５２と、１以上のＮＮＩ（ネットワーク−ネットワークインタフェース）カード５４とは、ＯＤＵ−ＸＣ（クロスコネクト）５３により接続される。ＵＮＩカード５２は、それぞれの通信規格により、クライアント側の通信機機と接続される。ＵＮＩカード５２のＯＴＮフレーマ５２１は、図１に示すＯＴＮフレーマ８００のクライアント信号受信部１２０及びクライアント信号送信部１８０の機能を有する。ＯＤＵ−ＸＣ５３は、図１に示すＯＤＵ−ＳＷ２１０に相当する。ＮＮＩカード５４は、ＯＴＮフレーマ５４１と光ＳＣ（サブキャリア）送受信機５４２を備える。ＯＴＮフレーマ５４１は、図１に示すＯＴＮフレーマ８００の多重処理部１３０、ライン側送信処理部１４０、ライン側受信処理部１６０、及び分離処理部１７０の機能を有する。光ＳＣ送受信機５４２は、図１に示す送信機２２０及び受信機２３０の機能を有する。光ＳＣ送受信機５４２は、例えば、ＤＳＰ（Digital Signal Processor）を備えて構成される。
【００３４】
光伝送機能部５５は、トランスポンダ５６と合分波器５７を備える。
トランスポンダ５６は、ＯＴＮフレーマ５６１と光ＳＣ送受信機５６２を備える。ＯＴＮフレーマ５６１は、図１に示すＯＴＮフレーマ８００の機能を有し、光ＳＣ送受信機５６２は、図１に示す送信機２２０及び受信機２３０の機能を有する。光ＳＣ送受信機５６２は、例えば、ＤＳＰを備えて構成される。
合分波器５７は、光信号のＷＤＭ（Wavelength Division Multiplexing：波長分割多重）を行う。合分波器５７は、ＮＮＩカード５４の光ＳＣ送受信機５４２及びトランスポンダ５６の光ＳＣ送受信機５６２と接続される。合分波器５７は、ＮＮＩカード５４の光ＳＣ送受信機５４２及びトランスポンダ５６の光ＳＣ送受信機５６２から受信した光信号を合波して受信側の他の光伝送装置５０に送信する。また、合分波器５７は、送信側の他の光伝送装置５０から受信した光信号を分波してＮＮＩカード５４の光ＳＣ送受信機５４２及びトランスポンダ５６の光ＳＣ送受信機５６２に出力する。
【００３５】
各ＮＮＩカード５４及び各トランスポンダ５６は、それぞれ異なる光周波数の光チャネルを使用する。光ＳＣ送受信機５４２を４台備えるＮＮＩカード５４や、光ＳＣ送受信機５４２を４台備えるトランスポンダ５６は、１光チャネルの光信号を４光サブキャリアにより送信する。また、光ＳＣ送受信機５４２を２台備えるＮＮＩカード５４や、光ＳＣ送受信機５６２を２台備えるトランスポンダ５６は、１光チャネルの光信号を２光サブキャリアにより送信する。光伝送装置５０を、ＯＤＵクロスコネクト機能部５１、または、トランスポンダ５６のいずれかを備えないように構成することもできる。
【００３６】
また、光ＳＣ送受信機５４２や光ＳＣ送受信機５６２の変調方式が可変である場合、その変調方式により光サブキャリアの帯域が変わる。例えば、ＱＰＳＫ変調の場合、１光サブキャリアは１００Ｇであり、８ＱＡＭ変調の場合、１光サブキャリアは１５０Ｇであり、１６ＱＡＭ変調の場合、１光サブキャリアは２００Ｇとなる。そのため、物理的にＮＮＩカード５４にｎ台の光ＳＣ送受信機５４２を備えておき、それら光ＳＣ送受信機５４２の変調方式を変えることにより動作させる光ＳＣ送受信機５４２をｎ台以下とすることができる。同様に、物理的にトランスポンダ５６にｎ台の光ＳＣ送受信機５６２を備えておき、それら光ＳＣ送受信機５６２の変調方式を変えることにより、動作させる光ＳＣ送受信機５６２をｎ台以下とすることができる。
【００３７】
監視制御部６０は、各部の監視及び制御を行う。監視制御部６０は、機器情報取得部６１を備える。機器情報取得部６１は、ＮＮＩカード５４が備える光ＳＣ送受信機５４２のうち動作している光ＳＣ送受信機５４２の現在の信号レートや現在の光サブキャリア数の情報を取得し、ＯＴＮフレーマ５４１に通知する。また、機器情報取得部６１は、トランスポンダ５６が備える光ＳＣ送受信機５６２の現在の信号レートや現在の光サブキャリア数の情報を取得し、ＯＴＮフレーマ５６１に通知する。
【００３８】
図６は、ＮＮＩカード５４において送信される信号の帯域を示す図である。同図では、ＮＮＩカード５４がＯＴＵＣ４を実装している場合の例を示す。
同図に示すＮＮＩカード５４は、ＯＴＮフレーマ５４１から出力されたＯＴＬＣ４．４＃１〜＃４のパラレル信号を、４台の光ＳＣ送受信機５４２により送信する。４台の光ＳＣ送受信機５４２をそれぞれ、光ＳＣ送受信機５４２−１、５４２−２、５４２−３、５４２−４と記載する。各パラレル信号は１００Ｇである。光ＳＣ送受信機５４２−１は、ＯＴＬＣ４．４＃１のパラレル信号を１００Ｇの光サブキャリアにより送信する。光ＳＣ送受信機５４２−２は、ＯＴＬＣ４．４＃２のパラレル信号を１００Ｇの光サブキャリアにより送信する。光ＳＣ送受信機５４２−３は、ＯＴＬＣ４．４＃３のパラレル信号を１００Ｇの光サブキャリアにより送信する。光ＳＣ送受信機５４２−４は、ＯＴＬＣ４．４＃４のパラレル信号を１００Ｇの光サブキャリアにより送信する。光ＳＣ送受信機５４２−１、５４２−２、５４２−３及び５４２−４により、４００Ｇの１光チャネルのＯＴＵＣ４の信号が、１００Ｇの４つの光サブキャリアによりマルチキャリア伝送される。このように、本実施形態では、１つのＯＴＬＣｎ．ｎ＃ｉのパラレル信号が１つのサブキャリアに割り当てられる。以下、説明を簡単にするためにこの条件を前提として説明を行う。しかしながら、このような前提は必須の条件ではなく、複数のパラレル信号が１つのサブキャリアに割り当てられてもよい。
【００３９】
図７〜９は、ＯＤＵＣｎへのパスのマッピングを示す図である。同図では、ＯＤＵＣ４へパスがマッピングされる。ＯＤＵＣ４へマッピングされるパスは、クライアント信号に割当てられた論理的なパスであり、１つのＬＯ  ＯＤＵや１つのＯＤＴＵフレームに対応する。ＯＤＵＣ４フレーム内の１．２５ＧのＴＳは、ＯＴＬＣ４．４＃１〜ＯＴＬＣ４．４＃４のいずれにマッピングされるかが予め静的あるいは動的に決められている。例えば、ＨＯ  ＯＤＵフレームの１行目のＴＳがＯＴＬＣ４．４＃１に、２行目のＴＳがＯＴＬＣ４．４＃２に、３行目のＴＳがＯＴＬＣ４．４＃３に、４行目のＴＳがＯＴＬＣ４．４＃４にマッピングされてもよい。
【００４０】
図７（ａ）は、ＯＴＮフレーマ５４１に入力されるクライアント信号の具体例を示す。図７（ａ）の例では、クライアントＡ〜Ｆの６つのクライアント信号がＯＴＮフレーマ５４１に入力される。ＯＴＮフレーマ５４１は、光ＳＣ送受信機５４２におけるサブキャリア数と、冗長度と、冗長単位と、に応じて、入力されたクライアント信号をグルーピングする。光ＳＣ送受信機５４２におけるサブキャリア数は、例えば監視制御部６０の機器情報取得部６１を介してＯＴＮフレーマ５４１に通知される。
【００４１】
冗長度及び冗長単位は、グループの種別とサブキャリア数とに基づいて決定される。冗長単位は、冗長する単位を表す。冗長単位は、例えばサブキャリア、ラインカード（ＮＮＩ）である。冗長度は、冗長単位をいくつ分冗長させるかを表す。冗長度は、例えば１重故障対応、２重故障対応である。例えば、冗長単位がサブキャリアであり、冗長度が２重故障対応である場合、２つのサブキャリアが不通になったとしても全てのクライアント信号を復元できるように冗長化がなされる。なお、以下の説明では、冗長単位としてサブキャリアを例にして説明する。
【００４２】
冗長度及び冗長単位は、例えばグループの種別及びサブキャリア数の組み合わせ毎に予めテーブルとして定められてもよい。グループの種別とは、冗長度及び冗長単位を決定するための基準となる要素である。グループの種別の具体例として、クライアント信号の優先度がある。例えば、優先度が高いほど冗長度が高くなり、優先度が低いほど冗長度が低くなる。ＯＴＮフレーマ５４１は、グループの種別に応じた優先度のクライアント信号のみを、冗長度及び冗長単位に応じた数のサブキャリアに割当可能な数だけ選択し、１つのグループを形成させる。以下、ＯＴＮフレーマ５４１のこのような処理をグルーピングと呼ぶ。
【００４３】
図７（ｂ）は、グルーピングの結果の具体例を表す。図７（ｂ）の具体例では、クライアントＡ、クライアントＢ、クライアントＣ及びクライアントＥのクライアント信号が１つのグループ７０１として選択されている。グループ７０１では、３つのサブキャリアに割り当てられるクライアント信号が選択されている。この“３”というサブキャリアの数（クライアント信号が割り当てられるサブキャリアの数）は、光ＳＣ送受信機５４２が送受信するサブキャリア数“４”から、グループ種別の優先度によって定められる冗長度１に応じて決定される冗長サブキャリア数（冗長信号が割り当てられるサブキャリアの数）“１”を減じることによって決定される。すなわち、１つのサブキャリア（冗長単位）が不通になったとしてもクライアント信号を復元できるように、１つのサブキャリアが冗長信号を割り当てるためのサブキャリアとして用いられる。そのため、サブキャリア数“４”から冗長サブキャリア数“１”を減じて得られる“３”が、クライアント信号を割り当てるためのサブキャリア数として決定される。そして、同じ優先度のクライアント信号のうち、３つのサブキャリアに割り当てることが可能なクライアント信号が、１つのグループ７０１として選択される。
【００４４】
図７（ｃ）は、グルーピングされたクライアント信号がＯＴＬＣｎ．ｎ＃ｉのパラレル信号に割り当てられた状態の具体例を表す。グループ７０１の１行目にあったクライアントＡ及びクライアントＢの２つのクライアント信号が、ＯＴＬＣ４．４＃１に割り当てられる。グループ７０１の２行目にあったクライアントＣのクライアント信号が、ＯＴＬＣ４．４＃２に割り当てられる。グループ７０１の３行目にあったクライアントＥのクライアント信号が、ＯＴＬＣ４．４＃３に割り当てられる。グループ７０１の１行目〜３行目のクライアント信号を復元するための信号（冗長サブキャリア７１１の信号）が、ＯＴＬＣ４．４＃４に割り当てられる。冗長サブキャリア７１１には、例えば他の３つのサブキャリアに基づいて得られるパリティが設定される。冗長サブキャリア７１１が１つ設けられることにより、グループ７０１に割り当てられる３つのサブキャリアのうちいずれか１つが不通になったとしても、不通になったサブキャリアに割り当てられているクライアント信号を受信側において復元することが可能となる。
【００４５】
図８（ａ）は、ＯＴＮフレーマ５４１に入力されるクライアント信号の具体例を示す。図８（ａ）の例では、クライアントＡ〜Ｆの６つのクライアント信号がＯＴＮフレーマ５４１に入力される。図８（ａ）に示される６つのクライアント信号の具体例は、クライアントＥのクライアント信号のＴＳ数が図７（ａ）に示される同信号のＴＳ数よりも少ない点で異なる。
【００４６】
図８（ｂ）は、グルーピングの結果の具体例を表す。図８（ｂ）の具体例では、図７（ｂ）と同様に、クライアントＡ、クライアントＢ、クライアントＣ及びクライアントＥのクライアント信号が１つのグループ７０２として選択されている。ただし、図８（ｂ）の具体例では、クライアントＥのＴＳ数が少ないため、信号が無い余領域７２１が生じてしまう。
【００４７】
図８（ｃ）は、グルーピングされたクライアント信号がＯＴＬＣｎ．ｎ＃ｉのパラレル信号に割り当てられた状態の具体例を表す。グループ７０２の１行目にあったクライアントＡ及びクライアントＢの２つのクライアント信号が、ＯＴＬＣ４．４＃１に割り当てられる。グループ７０２の２行目にあったクライアントＣのクライアント信号が、ＯＴＬＣ４．４＃２に割り当てられる。グループ７０２の３行目にあったクライアントＥのクライアント信号が、ＯＴＬＣ４．４＃３に割り当てられる。ただし、上述したようにクライアントＥのクライアント信号のＴＳ数が足りないため、余領域７２１に相当するＴＳにはクライアント信号が無い状態となってしまう。この場合、ＯＴＮフレーマ５４１は、余領域７２１に相当するＴＳに対し、パディングを行うことによって形式的に信号を付与する。ＯＴＮフレーマ５４１は、例えばゼロを表す信号を用いてパディングを行ってもよい。図８（ｃ）の例では、符号７２２で示されるＴＳにパディングが行われている。
【００４８】
グループ７０２の１行目〜３行目のクライアント信号を復元するための信号（冗長サブキャリア７１１の信号）が、ＯＴＬＣ４．４＃４に割り当てられる。冗長サブキャリア７１１には、例えば他の３つのサブキャリアに基づいて得られるパリティが設定される。冗長サブキャリア７１１が１つ設けられることにより、グループ７０１に割り当てられる３つのサブキャリアのうちいずれか１つが不通になったとしても、不通になったサブキャリアに割り当てられているクライアント信号を受信側において復元することが可能となる。
【００４９】
図９（ａ）は、ＯＴＮフレーマ５４１に入力されるクライアント信号の具体例を示す。図９（ａ）の例では、クライアントＡ〜Ｆの６つのクライアント信号がＯＴＮフレーマ５４１に入力される。
【００５０】
図９（ｂ）は、グルーピングの結果の具体例を表す。図９（ｂ）の具体例では、クライアントＤ及びクライアントＦのクライアント信号が１つのグループ７０３として選択されている。グループ７０３では、２つのサブキャリアに割り当てられるクライアント信号が選択されている。この“２”というサブキャリアの数（クライアント信号が割り当てられるサブキャリアの数）は、光ＳＣ送受信機５４２が送受信するサブキャリア数“４”から、グループ種別の優先度によって定められる冗長度２に応じて決定される冗長サブキャリア数“２”を減じることによって決定される。すなわち、２つのサブキャリア（冗長単位）が不通になったとしてもクライアント信号を復元できるように、２つのサブキャリアが冗長信号を割り当てるためのサブキャリアとして用いられる。そのため、サブキャリア数“４”から冗長サブキャリア数“２”を減じて得られる“２”が、クライアント信号を割り当てるためのサブキャリア数として決定される。そして、同じ優先度のクライアント信号のうち、２つのサブキャリアに割り当てることが可能なクライアント信号が、１つのグループ７０３として選択される。
【００５１】
図９（ｃ）は、グルーピングされたクライアント信号がＯＴＬＣｎ．ｎ＃ｉのパラレル信号に割り当てられた状態の具体例を表す。グループ７０１の１行目にあったクライアントＤのクライアント信号が、ＯＴＬＣ４．４＃１に割り当てられる。グループ７０１の２行目にあったクライアントＦのクライアント信号が、ＯＴＬＣ４．４＃２に割り当てられる。グループ７０３の１行目及び２行目のクライアント信号を復元するための信号（冗長サブキャリア７１１の信号）が、ＯＴＬＣ４．４＃３及びＯＴＬＣ４．４＃４に割り当てられる。冗長サブキャリア７１１には、例えば他の２つのサブキャリアに基づいて得られるパリティが設定される。冗長サブキャリア７１１が２つ設けられることにより、グループ７０３に割り当てられる２つのサブキャリアのうちいずれか２つが不通になったとしても、不通になったサブキャリアに割り当てられているクライアント信号を受信側において復元することが可能となる。
【００５２】
図１０は、ＯＴＮフレーマ５４１によって行われたグルーピングの結果に基づいて生成されるＯＴＵＣｎの電気信号の具体例を示す。符号７３１はヘッダを示す。符号７３２は各パラレル信号におけるＦＥＣを表す。符号７１１は、上述のように冗長信号を示す。符号７１２は、クライアント信号を示す。
【００５３】
符号７０１は、優先度が１であるクライアント信号（クライアントＡ、Ｂ、Ｃ及びＥのクライアント信号）のグループを示す。図１０の例では、優先度が１であるグループ７０１では、冗長度は１重故障対応に設定される。そのため、グループ７０１には１つの冗長サブキャリア７１１が設けられる。
【００５４】
符号７０２は、優先度が２であるクライアント信号（クライアントＤ及びＦのクライアント信号）のグループを示す。図１０の例では、優先度が２であるグループ７０２では、冗長度は２重故障対応に設定される。そのため、グループ７０２には２つの冗長サブキャリア７１１が設けられる。
このように、１つのＯＴＵＣｎに異なる優先度のグループが設けられてもよい。
【００５５】
上記では、ＮＮＩカード５４の場合について説明したが、トランスポンダ５６の場合も同様である。
【００５６】
図１１は、光伝送装置５０が備えるＮＮＩカード５４の詳細な構成を示す機能ブロック図である。同図において、図１に示すＯＴＮフレーマ８００及び図５に示す光伝送装置５０と同一の部分には同一の符号を付し、その説明を省略する。ＯＴＵＣｎを実装するＮＮＩカード５４は、ｋ台の光ＳＣ送受信機５４２を備えた光送受信機５４３を備える（ｎ≧ｋ、ｋは整数）。以下の説明では、ｋ＝４の場合を例に示す。各光ＳＣ送受信機５４２は、送信機及び受信機を備える。ＮＮＩカード５４のＯＴＮフレーマ５４１は、割当部７０、多重処理部１３０、ライン側送信処理部１４０、ライン側受信処理部１６０及び分離処理部１７０を備える。なお、図１１では便宜上ｋ台の光ＳＣ送受信機５４２をまとめて一つの機能（光送受信機５４３）として記載しているが、実際の構成において必ずしもこのような一つの機能として実現される必要は無く、各光ＳＣ送受信機５４２が独立して構成されてもよい。
【００５７】
割当部７０は、記憶部７１及び割当処理部７２を備える。
記憶部７１は、タイムスロット情報とパス収容情報を記憶する。タイムスロット情報は、ＯＤＵＣｎの各ＴＳが対応する光サブキャリア（または光ＳＣ送受信機）を示す。つまり、タイムスロット情報は、信号フレームであるＯＤＵＣｎ内のＴＳと、そのＴＳに設定されたクライアント信号のデータを含んだパラレル信号の伝送に用いられる光サブキャリアとの対応を示す。パス収容情報は、各クライアント信号のパスが割当てられているＯＤＵＣｎのＴＳを示す。
【００５８】
割当処理部７２は、機器情報取得部６１から受信した光ＳＣ送受信機の信号レートや光サブキャリア数の情報に基づいてグルーピングを行い、ＯＤＵＣｎのＴＳがいずれの光サブキャリア（または光ＳＣ送受信機）に対応するかを判断してタイムスロット情報を生成し、記憶部７１に書き込む。割当処理部７２は、オペレータが入力した収容対象のクライアント信号のパスの伝送容量から、割当てが必要なＴＳ数を算出する。
【００５９】
図１２は、本実施形態の光伝送装置５０が備えるトランスポンダ５６の詳細な構成を示す機能ブロック図である。同図において、図１に示すＯＴＮフレーマ８００及び図５に示す光伝送装置５０と同一の部分には同一の符号を付し、その説明を省略する。ＯＴＵＣｎを実装するトランスポンダ５６は、ｋ台の光ＳＣ送受信機５６２を備えた光送受信機５６３を備える（ｎ≧ｋ、ｋは整数）。以下の説明では、ｋ＝４の場合を例に示す。各光ＳＣ送受信機５６２は、送信機及び受信機を備える。トランスポンダ５６のＯＴＮフレーマ５６１は、割当部７０、送信処理部１１０及び受信処理部１５０を備える。なお、図１２では便宜上ｋ台の光ＳＣ送受信機５６２をまとめて一つの機能（光送受信機５６３）として記載しているが、実際の構成において必ずしもこのような一つの機能として実現される必要は無く、各光ＳＣ送受信機５６２が独立して構成されてもよい。
【００６０】
ＯＴＮフレーマ５６１が備える割当部７０の機能は、図１１に示すＮＮＩカード５４のＯＴＮフレーマ５４１が備える割当部７０と同様である。ただし、トランスポンダ５６の割当部７０は、機器情報取得部６１から光ＳＣ送受信機５６２の信号レートや光サブキャリア数の情報を受信する。割当処理部７２は、機器情報取得部６１から受信した光ＳＣ送受信機５６２の信号レートや光サブキャリア数の情報に基づいてグルーピングを行い、ＯＤＵＣｎのＴＳがいずれの光サブキャリア（または光ＳＣ送受信機）に対応するかを判断してタイムスロット情報を生成し、記憶部７１に書き込む。
【００６１】
なお、機器情報取得部６１は、光伝送装置５０が備える複数のＮＮＩカード５４あるいはトランスポンダ５６に共通して設けてもよく、各ＮＮＩカード５４や各トランスポンダ５６に設けてもよい。また、監視制御部６０が割当部７０を設けるように構成してもよい。
【００６２】
図１３は、トランスポンダ５６ａの構成を示す機能ブロック図である。光伝送装置５０は、トランスポンダ５６に代えて、同図に示すトランスポンダ５６ａを備えてもよい。トランスポンダ５６ａは、ＯＴＮフレーマ５６１内に機器情報取得部６１を設ける。
なお、ＮＮＩカード５４のＯＴＮフレーマ５４１が、トランスポンダ５６ａと同様に機器情報取得部６１を備えるように構成してもよい。この場合、ＮＮＩカード５４が備える機器情報取得部６１は、そのＮＮＩカード５４が備える光ＳＣ送受信機５４２から信号レートや光サブキャリア数の情報を受信する。
【００６３】
図１４は、ＯＴＮフレーマ５４１の割当処理部７２が行うグルーピングの処理の流れの具体例を表すフローチャートである。まず、割当処理部７２は、光ＳＣ送受信機５４２から情報を取得する。より具体的には、割当処理部７２は、光ＳＣ送受信機５４２のサブキャリア数を取得する（ステップＳ１０）。次に、割当処理部７２は、送信対象となるクライアント信号のうち、同じ優先度のクライアント信号を判定する（ステップＳ１５）。次に、割当処理部７２は、クライアント信号の優先度に応じて、冗長単位及び冗長度を決定する（ステップＳ２０）。次に、割当処理部７２は、サブキャリア数、冗長単位及び冗長度に基づいて、クライアント信号が割り当てられるサブキャリア数を決定する（ステップＳ２５）。次に、割当処理部７２は、クライアント信号が割り当てられるサブキャリア数に応じて、各ＴＳに対するクライアント信号の割り当てを決定する（ステップＳ３０）。割当処理部７２は、冗長信号が割り当てられるＴＳを決定する（ステップＳ３５）。割当処理部７２は、以上の処理において決定された情報を、記憶部７１に記録する。ＯＴＮフレーマ５４１の多重処理部１３０は、記憶部７１に記録された上記の情報に基づいて、各ＴＳに対しクライアント信号の割り当てや冗長信号の割り当て、パディングを行う。
【００６４】
なお、本実施形態では、１光チャネルがｎ×１００Ｇ、パラレル信号が１００Ｇの場合を例に説明したが、１光チャネルの帯域や、パラレル信号の帯域は任意とすることができる。
【００６５】
以上説明した実施形態によれば、ＯＴＮフレーマは、送受信に用いられるサブキャリアのうち一部のサブキャリアに対しクライアント信号を復元するための冗長信号を割り当てる。そのため、一部のサブキャリアが受信側に到達しなかった場合であっても、到達しなかったサブキャリアに割り当てられていたクライアント信号を受信側において復元することが可能となる。
【００６６】
また、以上説明した実施形態によれば、冗長信号に関する冗長単位や冗長度は、クライアント信号の優先度に応じて決定される。そのため、クライアント信号の優先度に応じた冗長化が可能となる。
【００６７】
例えば冗長単位がサブキャリア単位である場合、優先度に応じて復元可能となるサブキャリア数を変化させることが可能となる。より優先度が高いクライアント信号については、クライアント信号が割り当てられるサブキャリアの数が少なく冗長信号が割り当てられるサブキャリアの数が多く設定されることによって、より多くのサブキャリアの不達に対応すること（すなわちクライアント信号を復元すること）が可能となる。一方、より優先度が低いクライアント信号については、クライアント信号が割り当てられるサブキャリアの数が多く冗長信号が割り当てられるサブキャリアの数が少なく設定されることによって、一度により多くのクライアント信号を伝送することが可能となる。言い換えれば、伝送に要するコストを低減させることが可能となる。
【００６８】
上述した実施形態における監視制御部６０及び割当部７０の機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００６９】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００７０】
大容量光伝送に利用可能である。
【符号の説明】
【００７１】
５０  光伝送装置
５１  ＯＤＵクロスコネクト機能部
５２  ＵＮＩカード
５３  ＯＤＵ−ＸＣ
５４  ＮＮＩカード
５５  光伝送機能部
５６、５６ａ  トランスポンダ
５７  合分波器
６０  監視制御部
６１  機器情報取得部
７０  割当部
７１  記憶部
７２  割当処理部
１１０  送信処理部
１２０  クライアント信号受信部
１２１  受信部
１２２  マッピング部
１２３  ＯＨ処理部
１３０  多重処理部
１３１  多重化部
１３２  フレーミング部
１４０  ライン側送信処理部（送信信号生成部）
１４１  インタリーブ部
１４２−１、１４２−２、１４２−３、１４２−４  ＯＨ処理部
１４３−１、１４３−２、１４３−３、１４３−４  マルチレーン送信部
１５０  受信処理部
１６０  ライン側受信処理部
１６１−１、１６１−２、１６１−３、１６１−４  マルチレーン受信部
１６２−１、１６２−２、１６２−３、１６２−４  ＯＨ処理部
１６３  デインタリーブ部
１７０  分離処理部
１７１  デフレーミング部
１７２  逆多重化部
１８０  クライアント信号送信部
１８１  ＯＨ処理部
１８２  デマッピング部
１８３  送信部
２１０  ＯＤＵ−ＳＷ
２２０  送信機
２３０  受信機
５２１  ＯＴＮフレーマ
５４１  ＯＴＮフレーマ
５４２、５４２−１、５４２−２  光ＳＣ送受信機
５６１  ＯＴＮフレーマ
５６２  光ＳＣ送受信機
８００  ＯＴＮフレーマ
【図１】
0006283304.tif 000002
【図２】
0006283304.tif 000003
【図３】
0006283304.tif 000004
【図４】
0006283304.tif 000005
【図５】
0006283304.tif 000006
【図６】
0006283304.tif 000007
【図７】
0006283304.tif 000008
【図８】
0006283304.tif 000009
【図９】
0006283304.tif 000010
【図１０】
0006283304.tif 000011
【図１１】
0006283304.tif 000012
【図１２】
0006283304.tif 000013
【図１３】
0006283304.tif 000014
【図１４】
0006283304.tif 000015